(57)【要約】【課題】  建物の施工中はストップ装置付のドアクローザとして機能し、建物の完成後は簡単な操作でストップ装置なしのドアクローザとして機能するドアクローザ用ストップ装置を提供する。【解決手段】  板カムを回転軸線上にて上下に移動させて一対のセレーションの噛み合い及びその解除を行うためのカム押えと、カム押えを押し上げた際に一対のセレーションの噛み合い状態を保持するためのセットプレートを備えており、板カムとカム押えの間にセットプレートを挿入しカム押えを押し上げることにより一対のセレーションの噛み合い状態を保持する。【選択図】図１
2007217879.tif 000002
【特許請求の範囲】
【請求項１】
所定の回転軸線上にて互いに回転可能に連結された一対のドアクローザ部品の一方と一対のセレーションを介して連結される板カムと、扉の開度が所定角度に達した時に前記板カムと係合して前記扉の閉方向への移動を阻止する手段を備えたドアクローザ用ストップ装置において、前記ドアクローザ用ストップ装置は前記板カムを前記回転軸線上にて上下に移動させて前記一対のセレーションの噛み合い及びその解除を行うためのカム押えと、前記カム押えを押し上げた際に前記一対のセレーションの噛み合い状態を保持するためのセットプレートを備え、前記板カムと前記カム押えの間にセットプレートを挿入し前記カム押えを押し上げることにより前記一対のセレーションの噛み合い状態を保持することを特徴とするドアクローザ用ストップ装置。
【請求項２】
前記セットプレートは、前記セットプレートとの係合部寸法と同一かわずかに大きい寸法の差し込み部を有しているとともに、前記差し込み部の導入部が前記セットプレートとの係合部寸法よりわずかに小さく設定されていることを特徴とする請求項１に記載のドアクローザ用ストップ装置。
【発明の詳細な説明】
【技術分野】
【０００１】
本発明は、扉を開放状態で保持するためのドアクローザのストップ装置に関する。
【背景技術】
【０００２】
従来、ドアクローザにはストップ装置、すなわち、閉鎖運動中のドアクローザを一時的に停止させ扉の閉方向の移動を阻止する装置付のものとストップ装置なし、すなわち、閉鎖運動中のドアクローザを一時的に停止させる装置なしの二種類があり、必要に応じて使い分けられている。
【０００３】
すなわち、ストップ装置付のドアクローザを使用した扉においては、例えば荷物を室内に搬入するとき、ドアを手で押えておかなくてもよいので便利である。
【０００４】
この種のストップ装置として、実公平１−３０５２６号公報には、ドアクローザのメインアームとリンクとの連結点に停止カムを介装し、その停止カムとメインアームとを一対のセレーションを介して連結して両者をリンクに対し一体回転可能に設けるとともに、リンクの内部にはドアが所定角度まで開いたときに停止カムと係合してドアの閉方向への復帰を阻止する機構（例えばコイルばねを利用して鋼球を停止カムの外周面に押し付ける機構）を内蔵させたものがある。
【０００５】
一方、防火扉等の如くその機能上閉鎖運動中のドアクローザを一時的に停止させる機能を持たせることができない場合には上記のようなストップ装置を設けることができない。
【０００６】
然しながら、建物の施工現場においては防火扉等にドアクローザを取付けた後も内装工事の材料の搬入等閉鎖運動中のドアクローザを一時的に停止させる、すなわち、扉を一時的に開いたままにしておく必要性があるとともに建物の完成後はストップ装置なしとして機能するドアクローザが求められていた。
【０００７】
【特許文献１】実公平１−３０５２６号公報
【発明の開示】
【発明が解決しようとする課題】
【０００８】
それゆえに本発明は上記従来の問題に鑑みてなされ、建物の施工中はストップ装置付のドアクローザとして機能し、建物の完成後は簡単な操作でストップ装置なしのドアクローザとして機能するドアクローザ用ストップ装置を提供することを課題とする。
【課題を解決するための手段】
【０００９】
上記課題を解決するため、請求項１にかかる発明は、
所定の回転軸線上にて互いに回転可能に連結された一対のドアクローザ部品の一方と一対のセレーションを介して連結される板カムと、扉の開度が所定角度に達した時に前記板カムと係合して前記扉の閉方向への移動を阻止する手段を備えたドアクローザ用ストップ装置において、前記ドアクローザ用ストップ装置は前記板カムを前記回転軸線上にて上下に移動させて前記一対のセレーションの噛み合い及びその解除を行うためのカム押えと、前記カム押えを押し上げた際に前記一対のセレーションの噛み合い状態を保持するためのセットプレートを備え、前記板カムと前記カム押えの間にセットプレートを挿入し前記カム押えを押し上げることにより前記一対のセレーションの噛み合い状態を保持することを特徴とする。
【００１０】
請求項２にかかる発明は、請求項１に記載のドアクローザ用ストップ装置において、前記セットプレートは、前記セットプレートとの係合部寸法と同一かわずかに大きい寸法の差し込み部を有しているとともに、前記差し込み部の導入部が前記セットプレートとの係合部寸法よりわずかに小さく設定されていることを特徴とする。
【発明の効果】
【００１１】
請求項１に係る本発明によれば、ドアクローザ用ストップ装置において、板カムとカム押えの間にセットプレートを挿入しカム押えを押し上げることにより一対のセレーションの噛み合い状態を保持するようにしたので、建物の施工現場においては防火扉等にドアクローザを取付けた後も内装工事の材料の搬入等閉鎖運動中のドアクローザを一時的に停止させる、すなわち、扉を一時的に開いたままにしておくとともに建物の完成後はストップ装置なしのドアクローザとして機能するドアクローザ用ストップ装置を提供することができる。
【００１２】
請求項２に係る本発明によれば、セットプレートは、セットプレートとの係合部寸法と同一かわずかに大きい寸法の差し込み部を有しているとともに、差し込み部の導入部がセットプレートとの係合部寸法よりわずかに小さく設定されているので、建物の施工中に誤ってカム押えを下降させセレーションの噛み合いを解除した場合でも、セットプレートが自然にストップ装置から脱落し、ストップ装置の機能が失われることを防止することができる。
【発明を実施するための最良の形態】
【００１３】
以下、図面を参照して発明を実施するための最良の形態について説明する。但し、本発明は図示の形態に限定されない。
【００１４】
＜実施の形態＞
図１乃至図６は、本発明によるドアクローザ用ストップ装置の実施例を示す図である。尚、図においてはブラケット部、リンク部及びアーム部のみを示している。又、図の断面を示すハッチングは省略されている。
【００１５】
図７及び図８は従来のストップ装置を示しており、ブラケット１を介して通常は図示しない扉枠に固定されるブラケット軸２に装着され、クリックボール７と係合する凹部３を形成した板カム４と、上記ブラケット軸２に回動可能に支承されるフォークアーム５の筒状に形成された基部５ａに収納され、ボール受け部材８を介してばね６によりブラケット軸２の方向に付勢されたクリックボール７等のクリック体とを有している。ばね６は止めねじ９にて圧縮され、その反発力によりボール受け部材８及びクリックボール７がブラケット軸２の方向に付勢されている。
【００１６】
図１は本発明によるドアクローザ用ストップ装置の実施例を示す。ストップ装置は、図１に示すように、被固定部材としての板カム４と、扉の開度が所定角度に達したときに板カム４とフォークアーム５とのそれ以上の相対回転を阻止するストッパ機構とを備えている。
【００１７】
フォークアーム５は中空形状をしており、その内部にはクリックボール７、ボール受け部材８及びばね６が挿入される。ばね６は止めねじ９にて圧縮され、その反発力によりボール受け部材８及びクリックボール７がブラケット１側に付勢される。フォークアーム５のブラケット１との連結端にはスリット５ｂが設けられ、そのスリット５ｂに開口する貫通孔１１、１１にはブラケット軸２及びカム押え１３がそれぞれ挿入される。ブラケット軸２はその上端においてブラケット１に固定される。カム押え１３は貫通孔１１に対して軸線方向に移動可能である。
【００１８】
図２に示すようにブラケット軸２は段差部２ｃを有しており、ブラケット軸２の下端部外周にはストッパ部材としての板カム４がブラケット軸２に回転自在に装着されセットプレート１２を介してカム押え１３により下方から支持されている。この板カム４の外周には上述したクリックボール７がばね６の圧縮力により押し付けられる。図３に示すように、板カム４の外周には、ブラケット軸２に対する嵌合孔４ｂと同軸の円弧部４ｃと、その円弧部４ｃの両端から接線方向に延びる一対の直線部４ｄ、４ｄと、それらの直線部４ｄ、４ｄを結ぶ円弧状の係合凹部４ｅとが設けられる。また、板カム４の上面にはセレーション４ａが形成される。ブラケット軸２の段差部２ｃには板カム４のセレーション４ａと噛み合うセレーション２ａが形成される。
【００１９】
なお、図１及び図２ではセレーション４ａを嵌合孔４ｂの軸線と直交する平面に沿って形成しているが、これに代えて嵌合孔４ｂの軸線を取り囲む円錐面に沿ってセレーション４ａを設けてもよい。この場合、ブラケット軸２に形成されるセレーション２ａもセレーション４ａと噛み合うべくブラケット軸２の軸線を取り囲む円錐面に沿って形成される。
【００２０】
フォークアーム５の貫通口１１とブラケット軸２の間、及び貫通口１１とカム押え１３の間にはブッシュ１４、１４が挿入されている。このブッシュ１４、１４はフォークアーム５とブラケット軸２及びカム押え１３の相対回転による磨耗を防止する目的で設けられたものであり、通常はポリアセタール系やナイロン系の樹脂で構成されるが、必ずしも樹脂である必要はなく、真鍮、砲金等の合金で構成されても良い。ブッシュ１４の外周とフォークアーム５の貫通孔１１、及びブッシュ１４の内周部とブラケット軸２との嵌合状態は、少なくともいずれか一方に隙間が設けられており、回転自在であれば良い。同様に、ブッシュ１４の外周とフォークアーム５の貫通孔１１、及びブッシュ１４の内周部とカム押え１３との嵌合状態も、少なくともいずれか一方に隙間が設けられており、回転自在であれば良い。また、ブッシュ１４、１４はフォークアーム５とブラケット軸２及びカム押え１３の材質により耐摩耗性が確保できるのであれば必ずしも必要ではない。
【００２１】
板カム４とカム押え１３の間にはセットプレート１２が挿入されている。セットプレート１２は板状をしており、板厚はｔ１で示される。セットプレート１２の一端には内径寸法がブラケット軸２のカム押え１３との嵌合部寸法と同一かわずかに大きく設定されている差し込み部１２ａが設けられており、更にこの差し込み部１２ａの一部はセットプレート１２の一端で切り欠き幅がブラケット軸２のカム押え１３との嵌合部寸法よりわずかに小さく設定されている切り欠き部であるところの導入部１２ｂを有している。セットプレート１２の他端にはセットプレート１２がブラケット軸２に差し込まれた状態においてフォークアーム５及び板カム４から突出したつまみ部１２ｃが構成されている。
【００２２】
ブラケット軸２の中心にはねじ孔２ｂが形成されており、セットプレート１２がブラケット軸２に差し込まれた状態で孔２ｂに挿入されたねじ１５を締め付けると、板カム４がカム押え１３により押し上げられセレーション２ａとセレーション４ａが噛み合う状態となる。このとき、ブラケット軸２とカム押え１３の間には隙間ｔ２が存在しているがｔ２はｔ１よりも小さい値となっている。この状態で扉を開閉するとクリックボール７がばね６の圧縮力により板カム４の外周上に押し付けられた状態で板カム４の外周を摺動し、扉が所定の開扉角度に達するとクリックボール７が板カム４の外周部に設けられた係合凹部４ｅと係合し、扉を所定の開扉位置に保持することができる。即ち、この場合はストップ装置が機能する状態となる。
【００２３】
セットプレート１２をブラケット軸２から取り外した状態でねじ孔２ｂに挿入されたねじ１５を締め付けると、板カム４がカム押え１３により押し上げられカム押え１３がブラケット軸２の先端部に当接することにより押し上げが完了するが、この時板カム４とブラケット軸２にはｔ１とｔ２の差分である隙間ｔ３が存在しているのでセレーション２ａとセレーション４ａの噛み合いは解除された状態となっており、板カム４はブラケット軸２に対し回転可能である。即ち、この場合はストップ装置が機能しない状態となる。
【００２４】
なお、セットプレート１２は導入部１２ｂがセットプレート１２との係合部寸法よりわずかに小さく設定されているので、施工中に扉を開いた状態での保持角度を再調整するためにねじ１５を緩めた場合でもセットプレート１２がブラケット軸２から不用意に脱落することがない。セットプレート１２をブラケット軸２から取り外す場合は、ねじ１５を緩めた後、つまみ部１２ｃを持って引き抜けば差し込み口１２ｂが撓んでブラケット軸２から簡単に取り外すことができる。
【００２５】
以上本発明の好ましい実施の形態について説明したが、本発明はこれらの実施の形態に限定されるものではない。
【図面の簡単な説明】
【００２６】
【図１】本発明のストップ装置の実施例を示す部分断面図でストップ装置が機能する状態を示す図である。
【図２】図１の分解図である。
【図３】板カムの平面図である。
【図４】ブラケット軸及びブラケットをＡ方向から見た図である。
【図５】セットプレートの平面図である。
【図６】ストップ装置が機能しない状態を示す図である。
【図７】従来のストップ装置におけるアーム部斜視図である。
【図８】従来のストップ装置におけるアーム部の断面図である。
【符号の説明】
【００２７】
１          ブラケット
２          ブラケット軸
２ａ        セレーション
２ｂ        ねじ孔
２ｃ        段差部
２ｄ        先端部
３          凹部
４          板カム
４ａ        セレーション
４ｂ        嵌合孔
４ｃ        円弧部
４ｄ        直線部
４ｅ        嵌合凹部
５          フォークアーム
５ａ        基部
５ｂ        スリット
６          ばね
７          クリックボール
８          ボール受け部材
９          止めねじ
１１        貫通孔
１２        セットプレート
１２ａ      差し込み部
１２ｂ      導入部
１２ｃ      つまみ部
１３        カム押え
１４        ブッシュ
１５        ねじ
１６        ばね座金
【図１】
2007217879.tif 000003
【図２】
2007217879.tif 000004
【図３】
2007217879.tif 000005
【図４】
2007217879.tif 000006
【図５】
2007217879.tif 000007
【図６】
2007217879.tif 000008
【図７】
2007217879.tif 000009
【図８】
2007217879.tif 000010